(57)【要約】      （修正有）【課題】分離可能かつ交換可能な部分を有する多分割物品を備える履物を提供する。【解決手段】履物が提供され、靴底１７および一体型後方上部区画を備える下部１５と、前方上部区画を備える別個の上部２０とを備える。これらの部分は解放可能締結具によって互いに解放可能に接続される。各部分は締結具半部を提供し、各締結具半部は始点と終点を有する。下部の後方上部区画はヒールキャップ部分３５を含む。上部はその後部に２つの端部を含み、端部は、締結具上半部の始点と終点との間に位置決めされるストラップによって接続され、可動フラップが設けられ、ヒールキャップ部分の少なくとも一部分の内面にわたって延伸する。解放可能締結具はジッパ締結具であり、各締結具半部は複数の歯を有するジッパトラック２５ｂを有し、半部上の歯の数は正確に同じである。【選択図】図５
2019126717.tif 000002
【特許請求の範囲】
【請求項１】
靴底および一体型後方上部区画を備える下部（３１５）と、前方上部区画を備える別個の上部（３２０）とを備える履物であって、前記部分は解放可能締結具によって互いに解放可能に接続され、各部分（３１５、３２０）は締結具半部を提供し、各締結具半部は始点と終点を有し、前記下部（３１５）の後方上部区画はヒールキャップ部分を含み、前記上部（３２０）が前記上部の後部に２つの端部を含み、前記端部が、前記締結具上半部の前記始点と前記終点との間に位置決めされるストラップ（３２１）によって接続されること、可動フラップ（３７０）が設けられ、前記ヒールキャップ部分の少なくとも一部分の内面にわたって延伸すること、ならびに、前記解放可能締結具がジッパ締結具であり、各締結具半部は複数の歯を有するジッパトラックを有し、前記半部上の歯の数は正確に同じであることを特徴とする、履物。
【請求項２】
前記上部および前記下部（３２０、３１５）がともに接合されるときに、前記フラップ（３７０）が少なくとも前記締結具半部の始点および終点の内側にわたって延伸する、請求項１に記載の履物。
【請求項３】
前記フラップ（３７０）が前記ヒールキャップ部分の外側面にわたって下方に延伸する、請求項２に記載の履物。
【請求項４】
前記フラップ（３７０）が可撓性であり、締結位置と非締結位置との間で可動であり、前記フラップ（３７０）を前記締結位置に固定するために、締結具（３８０）が前記ヒールキャップ部分の外側面上に設けられている、請求項１〜３のいずれか一項に記載の履物。
【請求項５】
前記締結具がスナップ締結具である、請求項４に記載の履物。
【請求項６】
前記解放可能締結具の前記始点および前記終点は、ヒールキャップ部分の一部分によって分離され、前記ヒールキャップ部分側面の上部にまたは上部に向かって配置される、請求項１〜５のいずれか一項に記載の履物。
【請求項７】
前記一体型後方上部区画が、ヒールカウンタ、クオータの少なくとも一部分、爪革の一部分のうちの少なくとも１つを含む、請求項１〜６のいずれか一項に記載の履物。
【請求項８】
前記前方上部区画が爪革の少なくとも一部分を含む、請求項１〜７のいずれか一項に記載の履物。
【請求項９】
２つの部分のみが設けられている、請求項１〜８のいずれか一項に記載の履物。
【請求項１０】
前記上側部分が紐締め構成を含む、請求項１〜９のいずれか一項に記載の履物。
【請求項１１】
前記ヒールキャップ部分が、部分クオータ、および、靴底の側面および前部の周りに延伸し、前記靴底から直立する爪革部分に合流する、請求項１〜１０のいずれか一項に記載の履物。
【発明の詳細な説明】
【技術分野】
【０００１】
本発明は、一般に履物に関し、特に分離可能かつ交換可能な部分を有する多分割物品を備える履物に関する。
【０００２】
より具体的には、本発明は請求項１の前文に記載の履物に関する。
【発明の概要】
【発明が解決しようとする課題】
【０００３】
本発明は、靴、ブーツ、スリッパ、または同様の足被覆物などの履物における、またはそれに関連する改善を提供することを模索するものである。
【課題を解決するための手段】
【０００４】
本発明の一態様は、靴底および一体型後方上部区画を備える下部と、前方上部区画を備える別個の上部とを備える履物を提供し、これらの部分は解放可能締結具によって互いに解放可能に接続され、上部はその後部に２つの端部を含み、端部はストラップによって接続される。
【０００５】
さらなる態様は、靴底および一体型後方上部区画を備える下部と、前方上部区画を含む別個の上部とを備える履物を提供し、これらの部分は、解放可能締結具によって互いに解放可能に接続され、各部分は締結具半部を提供し、各締結具半部は始点と終点とを有し、上部は、締結具上半部の始点と終点との間に位置決めされたストラップを含む。
【０００６】
さらなる態様は、靴底および一体型後方上部区画を備える下部と、前方上部区画を含む別個の上部とを備える履物を提供し、これらの部分は、解放可能締結具によって互いに解放可能に接続され、下部の後方上部区画はヒールキャップ部分を含み、可動フラップが設けられ、ヒールキャップ部分の少なくとも一部分の内面にわたって延伸する。
【０００７】
上部および下部は各々、締結具の半部を提供し、締結具半部は始点および終点を有し、フラップは、上部および下部がともに接合されるとき、少なくとも半部の始点および終点の内側にわたって延伸する。
【０００８】
フラップは、ヒールキャップ部分の外側面にわたって下方に延伸してよい。いくつかの実施形態では、フラップは下部の内側で靴底においてまたはその近くで接続される。
【０００９】
フラップは、可撓性であり得、締結位置と非締結位置との間で可動であり得る。
【００１０】
フラップを締結位置に固定するために、締結具がヒールキャップ部分の外側面上に設けられてよい。締結具はスナップ締結具であってよい。
【００１１】
解放可能締結具の始点および終点は、ヒールキャップ部分の一部分によって分離されてよく、そしてヒールキャップ部分側面の上部にまたは上部に向かって配置されてよい。
【００１２】
一体型後方上部区画はヒールカウンタを備えてよい。
【００１３】
一体型後方上部区画はクオータの少なくとも一部分を含んでよい。
【００１４】
一体型後方上部区画は爪革の一部分を含んでよい。
【００１５】
前方上部区画は爪革の少なくとも一部分を含んでよい。
【００１６】
いくつかの実施形態では、２つの部分のみが提供され、すなわち履物は上部と下部とからなる。
【００１７】
上側部分は紐締め構成を備えてよい。
【００１８】
いくつかの実施形態では、解放可能締結具はジップである。
【００１９】
下部の後方上部区画は、その後方に配置されたヒールキャップ部分を含んでよい。
【００２０】
ヒールキャップ部分は、部分クオータ、および、靴底の側面および前部の周りに延伸し、そこから直立する爪革部分に合流することができる。
【００２１】
解放可能締結具の始点および終点は、靴の背部に配置してよく、ヒールキャップ部分の一部分によって分離してよく、そしてヒールキャップ部分側面の上部にまたは上部に向かって配置してよい。
【００２２】
さらなる態様は、靴底および一体型後方上部区画を備える下部と、前方上部区画を含む別個の上部とを備える履物を提供し、これらの部分は、ジッパ締結具によって互いに解放可能に接続され、各部分は締結具半部を提供し、各締結具半部は複数の歯を有するジッパトラックを有し、半部上の歯の数は正確に同じである。
【００２３】
さらなる態様は、例えば歯の数および／または長さに基づいてジッパトラック半部をグループに分類する方法を提供する。この方法は、本発明に従って形成される靴部分／半部とともに使用するために、一致したグループから一致するペアにしてジッパ半部を使用するステップを含み得る。
【００２４】
本発明のさらなる態様によれば、靴底および一体型後方上部区画を備える下部と、前方上部区画を含む別個の上部とを備える履物が提供され、これらの部分は互いに解放可能に接続される。
【００２５】
一体型後方上部区画はヒールカウンタを備えてよい。
【００２６】
一体型後方上部区画はクオータの少なくとも一部分を含んでよい。
【００２７】
一体型後方上部区画は爪革の一部分を含んでよい。
【００２８】
前方上部区画は爪革の少なくとも一部分を含んでよい。
【００２９】
本発明はまた、本明細書に記載の履物に適した下部を提供する。
【００３０】
本発明はまた、本明細書に記載の履物に適した上部を提供する。
【００３１】
履物は、例えば、靴、運動靴、ブーツなどを含んでもよい。
【００３２】
さらなる態様は、靴底およびヒールカウンタを備える下側部分と、爪革の少なくとも一部分を備える別個の上側部分とを備える靴を提供し、下側部分および上側部分はともに取り外し可能に取り付けられる。
【００３３】
いくつかの実施形態では、２つの部分だけが提供される。
【００３４】
下側部分は、靴のクオータの少なくとも一部を含んでよい。
【００３５】
上側部分は紐締め構成を備えてよい。
【００３６】
下側部分は、爪革の一部分を含んでよい。
【００３７】
本発明の態様および実施形態では、これらの部分は、ジップなどの解放可能締結具によって接合してよい。
【００３８】
締結具の一方または両方の端部は、下側部分または下部の上部にまたは上部に向かって配置してよい。
【００３９】
締結具の経路は、水の浸入に対する抵抗を提供するように形成してよい。
【００４０】
ジップの経路は、耐水性を保証するように設計してよい。
【００４１】
いくつかの実施形態では、ジップの経路は、耐水性を保証するように特に設計されている。
【００４２】
本発明はまた、本明細書に記載の靴に適した下側部分を提供する。
【００４３】
本発明はまた、本明細書に記載の靴に適した上側部分を提供する。
【００４４】
本発明はまた、本明細書に記載の一対の靴または履物を提供する。
【００４５】
一方または両方の主要な（または唯一の）部分によって（別々にまたはともに）提供され得る靴／履物の他の部分は、ヒール、紐革、カウンタ、カフ、舌革、クオータ、紐、アイレット、靴底、爪革、爪先、中敷きを含む。
【００４６】
本発明はまた、例えば、靴を２つの基本部分、すなわち、靴爪革の下側部分に取り付けられている靴底によって構成される下部と、靴爪革の上側部分によって構成される上側部分とに分離することを可能にする、交換可能靴部分システムを提供する。これらの部分は、ジップなどの締結具によって互いに接合してよい。これは、靴の外観および／または機能を変えるために、異なる上側部分を選択して異なる下側部分と組み合わせることができるように、２つの部分が分割可能および交換可能であることを意味する。
【００４７】
本発明は、ユーザが新しい上側および／または下側部分を購入することを可能にし得る。この靴システムはモジュール式で交換可能な部分から作成されるため、上部および／または下部を再利用することができ、新しい組み合わせを形成することができる。
【００４８】
いくつかの実施形態では、上側部分は、下側部分に取り付けられていないときにほぼ平坦になるようにすることができる。これにより、保管および輸送に必要なスペースが削減される。
【００４９】
本発明の異なる態様および実施形態は別々にまたはともに使用される。
【００５０】
本発明のさらなる特定の好ましい態様は、添付の独立請求項および従属請求項に記載されている。従属請求項の特徴は、独立請求項の特徴と適宜組み合わされ得、また特許請求の範囲に明示的に記載されているもの以外の組み合わせであってよい。
【図面の簡単な説明】
【００５１】
【図１】本発明に従って形成された靴の上面図である。
【図２】本発明に従って形成された靴の背面図である。
【図３】本発明に従って形成された靴の側面図である。
【図４】本発明に従って形成された靴の正面図である。
【図５】図１〜図４の靴の分解側面図である。
【図６】図１〜図４の靴の分解背面図である。
【図７】図１〜図４の靴の分解上面図である。
【図８】図１〜図４の靴の分解正面図である。
【図９】本発明の一実施形態に従って形成された２部構成の靴の側面図である。
【図１０】本発明の一実施形態に従って形成された２部構成の靴の正面図である。
【図１１】部分的にジップを開いた状態の図９〜図１０の靴を示す。
【図１２】部分的にジップを開いた状態の図９〜図１０の靴を示す。
【図１３】部分的にジップを開いた状態の図９〜図１０の靴を示す。
【図１４】図９〜図１３の靴の底部の靴部分を、図１７に示されている上部から完全に分離された状態で示す図である。
【図１５】図９〜図１３の靴の底部の靴部分を、図１７に示されている上部から完全に分離された状態で示す図である。
【図１６】図９〜図１３の靴の底部の靴部分を、図１７に示されている上部から完全に分離された状態で示す図である。
【図１７】上部を示す図である。
【図１８】図１４〜図１６に示すものと同じタイプの下側部分を、図１９に示す異なる上側部分とともに示す図である。
【図１９】異なる上側部分を示す図である。
【図２０】図１８および図１９の下側部分および上側部分から形成された完全に組み立てられた靴の側面図である。
【図２１】図１８および図１９の下側部分および上側部分から形成された完全に組み立てられた靴の後方図である。
【図２２】本発明に従って形成されたバックコンフォートフラップを組み込んだ靴を示す図である。
【図２３】本発明に従って形成されたバックコンフォートフラップを組み込んだ靴を示す図である。
【図２４】本発明に従って形成されたバックコンフォートフラップを組み込んだ靴を示す図である。
【図２５】本発明に従って形成されたバックコンフォートフラップを組み込んだ靴を示す図である。
【図２６】本発明に従って形成されたバックコンフォートフラップを組み込んだ靴を示す図である。
【図２７】本発明に従って形成されたバックコンフォートフラップを組み込んだ靴を示す図である。
【図２８】本発明に従って形成されたバックコンフォートフラップを組み込んだ靴を示す図である。
【図２９】本発明に従って形成されたバックコンフォートフラップを組み込んだ靴を示す図である。
【図３０】本発明に従って形成されたアッパースキン部分のための応力緩和ストラップを示す図である。
【図３１】本発明に従って形成されたアッパースキン部分のための応力緩和ストラップを示す図である。
【図３２】歯数に基づいたジップ半部のグループへの分類を示す図である。
【図３３】歯数に基づいたジップ半部のグループへの分類を示す図である。
【図３４】歯数に基づいたジップ半部のグループへの分類を示す図である。
【図３５】歯数に基づいたジップ半部のグループへの分類を示す図である。
【図３６】歯数に基づいたジップ半部のグループへの分類を示す図である。
【図３７】図３２〜図３６のジッパグループの使用を示す図である。
【発明を実施するための形態】
【００５２】
ここで、添付の図面を参照しながら、例として、本発明をより詳細に説明する。例示的な実施形態を、当業者が本明細書で説明されているシステムおよびプロセスを具現化および実施することを可能にするために十分に詳細に説明する。実施形態は多くの代替形態で提供することができ、本明細書に記載の例に限定されると解釈されるべきではないことを理解することが重要である。
【００５３】
したがって、実施形態は様々な方法で修正され、様々な代替形態をとることができるが、その特定の実施形態を図面に示し、例として以下に詳細に説明する。開示された特定の形態に限定する意図はない。逆に、添付の特許請求の範囲内に含まれるすべての修正形態、等価形態、および代替形態が含まれるべきである。例示的な実施形態の要素は、必要に応じて、図面および発明を実施するための形態全体を通して一貫して同じ参照符号によって示される。
【００５４】
他に定義されない限り、本明細書中で使用されるすべての用語（技術的および科学的用語を含む）は、当該技術分野において慣例であるように解釈されるべきである。さらに一般的に使用される用語もまた、関連技術において慣例であるように解釈されるべきであり、本明細書において明示的にそのように定義されない限り理想的または過度に形式的な意味において解釈されるべきではない。
【００５５】
最初に図１〜図４を参照すると、全体が１０で示されている靴が示されている。この実施形態では、靴１０は下部１５と上側部分２０とを備える。
【００５６】
部分１５、２０は別々に形成され、この実施形態ではジップ２５である解放可能締結具によって互いに取り付けられている。
【００５７】
ここで図５〜図８も参照すると、部分１５、２０がより詳細に記載されている。
【００５８】
下部１５は、靴底１７とヒール３０とを備える。さらに、部分１５は、部分クオータへと延伸して実効的に合流するヒールキャップ部分３５と、靴底の側面および前部の周りに延伸してそこから直立する爪革部分４０とを備える。
【００５９】
ジップ締結具２５の１つの半部２５ａが、ヒールキャップ３５およびクオータ／爪革領域４０の露出した周縁に沿って（例えば襟のように）延伸する。
【００６０】
ジップの始点２６および終点２７は、両方ともヒールキャップ３５の上部にあり、したがって靴底１７との境界面から離間している。
【００６１】
上側部分２０は、靴の爪先領域、爪革領域、クオータ領域およびヒールキャップ領域を完成するように対応して成形される。それは図７において平らに折り畳まれた状態で見られ、実効的に、フラップ材料である。
【００６２】
部分２０の周縁には、ジップ締結具の一致する半部２５ｂが設けられており、同じく始点２３と終点２２とを有する。この実施形態では、上側部分２０にはジップつまみ２８が設けられている。
【００６３】
この実施形態では、上側部分２０には、紐５０を受け入れるためのアイレット４５が設けられている。
【００６４】
使用時には、上側部分２０は、それを下部に提供し、ジップつまみ２８を下部のジップ始点２７に接続することによって下部１５に接続される。その後、部分１５、２０をともに固定するために、つまみ２８がジップ経路に沿って、終点２６へと周り込んで動かされて、図１から図４に示されている。
【００６５】
図６は、ジッパトラック２５ｂの始点２３と終点２２との間に延伸する任意選択のストラップ２１を有する上部２０を示す。
【００６６】
図９および図１０には、代替の実施形態に従って形成された靴１１０が示されている。靴１１０は、図１〜図８に示す靴１０と同様である。この実施形態では、靴は、「紐締め」タイプの靴ではなく「スリップオン」タイプの靴として形成されている。
この実施形態では、靴底１１７とヒール領域１３０とがともに形成されている。
【００６７】
図１１〜図１３は、それぞれ図１４〜図１６および図１７に別々に示されている下側構成要素１１５および上側構成要素１２０を形成するためにジップが開かれているときの靴１１０を示している。
【００６８】
下側部分のヒールキャップ部分１３５の内面には後方コンフォートフラップ１３６が設けられている。フラップ１３６は、部分１３５の内面にわたって延伸し、ジッパトラックの端部が使用中に着用者の足または足首をこするのを防ぐのに役立つ。この実施形態では、フラップ１３６は、ヒールキャップ部分の上部を越えて部分的にその部分の外側面を下って延伸する。
【００６９】
図１８では、図１４〜図１６に示すタイプの下側部分２１５が設けられている。異なる上側部分２２０を図１９に示す。部分２２０は、図１７に示す部分１２０と同じ半締結具構成を有し、したがって図２０、２１に示すように部分２１５に同じ方法で固定することができる。これは、図１７および図１９に示すもののような部分を図１８に示すタイプの同じ部分とともに使用することができ、ひいては上側部分を異なる下側部分とともに使用することができることを意味し、これらはすべて同じ対応する取り付け手段を有する。
【００７０】
下側部分２１５はここでも、後方コンフォートフラップ２３６が設けられている。
【００７１】
図１７は、ジッパトラック１２５ｂの始点１２３と終点１２２との間に延伸する任意選択のストラップ１２１を有する上部１２０を示す。
【００７２】
図２２〜図３１は、靴の後方に組み込まれた２つの技術革新を示している。
図２２〜図２９は、スキンの後端部の裁ち端を覆う、靴の後方の（例えば革製の）フラップと、設けられる場合には靴の後方をより快適で審美的に魅力的にする布製ストラップとを示す。布裁ち端およびジッパ端部を覆うことによって靴をより快適にする後方フラップ。それらの裁ち端に足のかかとで触れるのは非常に不快である。後方フラップは足の快適さと審美性の両方に役立つ。
図３０および図３１は、上側部分または「スキン」の後端部を結合し、靴を合わせるときに、力がジッパ端部に加えられることを回避するのに必要である（例えば布製の）ストラップを示し、力は代わりに布製ストラップに加えられる。
靴底上の後方フラップ
【００７３】
フラップは一端（下側部分の内部）において固定され、他端においては自由である（図２２および図２７を参照）。より速い一体化されたスナップが提供される（目的を果たすために磁石または他の類似の閉鎖システムを使用できる可能性がある）。スナップ締結具の一方の部分３７５はフラップ３７０の自由端に設けられ、他方の締結具部分３８０はヒールキャップ部分の外面に設けられる（図２９に最もよく示される）。この構成により、フラップの下の領域に手が届くようになり、ジッパの終点と始点とを近づけ、ジッパの始点と終点を後方フラップの下に置くことができるようになっている。これにより、ａ）これらの金属部分がすべてフラップで覆われ、足に触れることができないため、より快適になることができ、ｂ）靴の外観をより清潔でより良好にすることができる。
スキンの端部を保持する布製ストリップ
【００７４】
布製ストリップ３２１が、スキン３２０の端部を保持するために設けられ、結果、靴を合わせるとき、力および応力が、ジッパ端部に加わって、数回合わせた後にジッパを破損する代わりに、布製ストリップにすべて加えられる。
普遍的な互換性を可能にするジッパ分類および編成
一般的なノウハウ
【００７５】
本発明者は、すべてのスキンと靴底との間の普遍的な互換性を可能にするために、ジッパの歯間の間隔がジッパの異なる製造バッチ間で同じままでなければならないことを見出した。ジッパの異なる製造バッチ間および同じ製造バッチ内でもジッパ歯間の間隔に常にわずかな変動があるため、これは不可能である。
【００７６】
本発明は、すべてのスキンと靴底との間の互換性を保証するために、この間隔変動内にあるジッパを分類する方法を提供する。
【００７７】
ジッパは一般的に生産され、設定された長さに従って小片に切断される。同じ長さに切断された２つのジッパを切り離してそれらを合わせても、それらは同じ長さであっても各歯の間の間隔が異なるために合計歯数が異なるため、完全には一致しなくなる。
【００７８】
この製品の製造に必要な長さである７５ｃｍの長さに対する歯数の変動は、約１５歯である。スキンに対して歯数が少ないジッパを使用し、靴底に対して歯数が多いジッパを使用してそれらを組み合わせた場合、２つのジッパの間の合わせはまっすぐにはならず、実際には、合わせは湾曲をもたらし、歯が多いジップが他方のジッパに巻き付き、靴底およびスキンが見た目にゆがんで整列しなくなる。
【００７９】
本発明は、完全に互換性があるように、すべてのスキンと靴底との間の完全な整列を提供することを模索する。
分類方法−図３２〜図３７
【００８０】
この目標を達成するために、本発明者らは最初に、ジッパが設定された長さに従ってではなく、設定された歯数に従って切断されなければならないことを理解した。設定された長さに従って２つのジッパを切断した場合、ジッパは同じ長さになるが、歯の数が異なる。設定された歯数に従って２つのジッパを切断した場合、ジッパは異なる長さになるが、歯の数は同じになる。
【００８１】
歯数は同じだが長さが異なる２つのジッパをスキンおよび靴底に縫合し、ともに合わせると、長さの差が９ｍｍ以内に収まっていればズレを生じないようにすることができる。各歯の間の距離が１．５ｍｍであることが分かると、同じ歯数の２つのジッパの間の９ｍｍの長さの差の限界が、同じ長さの２つのジッパの間の６歯の差に対応することも分かる。ジッパの生産における許容量は、７５ｃｍジッパに対して約１５歯の変動をもたらすため、本発明者らは、これらのジッパを５つのグループに分類した。各グループは３つの歯を含み、各グループは特定のサイズ群となる。図３７を参照されたい。これを行うために、本発明者らは、いずれの歯数が各ジッパに対応するかを調べるために標準として採用するジッパを選択した。
【００８２】
図３７は、ジッパグループの標準スキームを示す。
【００８３】
本発明は、設定された歯数に従ってジッパを切断し、すべてのスキンと靴底との間の保証された整列を作り出すためにジッパ歯間隔変動を異なるグループに分類することを使用する方法を提供する。図３７は、ジッパ半部グループがその後、特定の靴サイズに割り当てられることを示しています（欧州靴サイズが示されている）。
【００８４】
本発明の例示的な実施形態を添付の図面を参照しながら本明細書に詳細に開示したが、本発明は示された正確な実施形態に限定されず、本発明の範囲から逸脱することなく、当業者によって様々な変更および修正がなされ得ることが理解される。
【図１】
2019126717.tif 000003
【図２】
2019126717.tif 000004
【図３】
2019126717.tif 000005
【図４】
2019126717.tif 000006
【図５】
2019126717.tif 000007
【図６】
2019126717.tif 000008
【図７】
2019126717.tif 000009
【図８】
2019126717.tif 000010
【図９】
2019126717.tif 000011
【図１０】
2019126717.tif 000012
【図１１】
2019126717.tif 000013
【図１２】
2019126717.tif 000014
【図１３】
2019126717.tif 000015
【図１４】
2019126717.tif 000016
【図１５】
2019126717.tif 000017
【図１６】
2019126717.tif 000018
【図１７】
2019126717.tif 000019
【図１８】
2019126717.tif 000020
【図１９】
2019126717.tif 000021
【図２０】
2019126717.tif 000022
【図２１】
2019126717.tif 000023
【図２２】
2019126717.tif 000024
【図２３】
2019126717.tif 000025
【図２４】
2019126717.tif 000026
【図２５】
2019126717.tif 000027
【図２６】
2019126717.tif 000028
【図２７】
2019126717.tif 000029
【図２８】
2019126717.tif 000030
【図２９】
2019126717.tif 000031
【図３０】
2019126717.tif 000032
【図３１】
2019126717.tif 000033
【図３２】
2019126717.tif 000034
【図３３】
2019126717.tif 000035
【図３４】
2019126717.tif 000036
【図３５】
2019126717.tif 000037
【図３６】
2019126717.tif 000038
【図３７】
2019126717.tif 000039
【外国語明細書】
2019126717000001.pdf
2019126717000002.pdf
2019126717000003.pdf
2019126717000004.pdf